(57)【要約】      （修正有）【課題】変更受付日時以前であれば、受取サービス店等を変更できるようにすることを目的とする。【解決手段】ユーザ６の注文端末４，７より画像データのプリント注文をネットワーク２経由で中央処理センター３が受け、配送または各サービス店１よりの引渡により印刷物をユーザ６に届けるプリントサービスシステムにおいて、このプリント注文を受ける際に、このユーザ６の受取希望日時と印刷処理に必要となる時間とを勘案して変更受付締切日時を決定し、この変更受付締切日時を過ぎるまでは、画像データをこの中央処理センター３で保管し、この変更受付締切日時を過ぎた時点で、受取場所となる印刷処理設備が設置されている受取サービス店１へこのネットワーク２を経由してこの画像データを転送し、受取サービス店１はこの画像データの受信が完了次第、印刷を開始し、このユーザが来店するまでに印刷処理を完了するようにしたものである。【選択図】  図１
2004259203.tif 000002
【特許請求の範囲】
【請求項１】
ユーザまたは各サービス店の注文端末より画像データのプリント注文をネットワーク経由で中央処理センターが受け、配送または各サービス店よりの引渡により印刷物をユーザに届けるプリントサービスシステムにおいて、
前記プリント注文を受ける際に、前記ユーザの受取希望日時と印刷処理に必要となる時間とを勘案して変更受付締切日時を決定し、前記変更受付締切日時を過ぎるまでは印刷対象となる前記画像データを前記中央処理センターで保管し、前記変更受付締切日時を過ぎた時点で、受取場所となる印刷処理設備が設置されている受取サービス店へ前記ネットワークを経由して前記画像データを転送し、転送された前記サービス店は前記画像データの受信が完了次第、印刷を開始し、前記ユーザが来店するまでに印刷処理を完了するようにしたことを特徴とするプリントサービスシステム。
【請求項２】
請求項１  記載のプリントサービスシステムにおいて、
前記プリント注文の内容を
前記変更受付締切日時までは前記ユーザからの変更要求により何度でも変更できるようにしたことを特徴とするプリントサービスシステム。
【請求項３】
請求項１記載のプリントサービスシステムにおいて、
前記受取場所を前記変更受付締切日時までは前記ユーザからの変更要求により何度でも変更できるようにしたことを特徴とするプリントサービスシステム。
【発明の詳細な説明】
【０００１】
【発明の属する技術分野】
本発明は、デジタルカメラ等により取得した画像データのプリント注文をユーザまたは各サービス店の注文端末よりネットワーク経由で中央処理センターが受け、配送または各サービス店よりの引渡しにより、印刷物を届けるようにしたプリントサービスシステムに関する。
【０００２】
【従来の技術】
先にデジタルカメラ等により取得した画像データのプリント注文をユーザまたは各サービス店の注文端末よりネットワーク経由で中央処理センターが受け、配送または各サービス店により引渡しにより印刷物を届けるようにしたプリントサービスシステムが提案されている（特許文献１、特許文献２）。
【０００３】
このようなプリントサービスシステムにおいては、ユーザはデジタルカメラ等により取得した画像データをユーザまたは各サービス店の注文端末即ちパーソナルコンピュータにビューアーソフトをインストールして、この画像データを再生できる如くし、プリント注文を行う場合には、このビューアーソフトに組み込まれた注文機能を用いて注文内容を記述した注文情報を作成する。
【０００４】
そして、ユーザまたは各サービス店はこの注文情報及び印刷を行う画像を表す画像データをこの注文端末から注文を受け付ける中央処理センターに設置された注文受付サーバにインターネット等のネットワークを経由して送信する。
【０００５】
この注文受付サーバは送信されたこの画像データ及び注文情報をプリント注文を処理する大手ラボに設置されたプリントサーバに送信し、ここで注文情報に基づいて、焼き増し印刷、写真入りポストカード作成、アルバムの作成等が行われて印刷物が得られる。
【０００６】
このようにして得られた印刷物はプリント注文時にユーザが予め指定した受取サービス店に配送あるいは郵送される。
これにより、ユーザはこの受取サービス店に出向いて料金の支払いを行い、この印刷物を受取ることができる。
【０００７】
なお、受取サービス店はユーザによるプリント注文時に指定されるものであり、通常ユーザの家や勤務先の近所等のユーザが所望とするサービス店が選択される。
【０００８】
ここで「注文情報」とは、具体的にはプリントサービス内容（通常の印刷、ポストカード作成等）を指定する処理番号、写真を指定する画像番号（画像データのファイル番号）、プリントサイズ、プリント枚数、プリント画質（  艶あり、艶なし）  等である。
【０００９】
【特許文献１】
特開２００２−７５３３号公報
【特許文献２】
特開２００２−２９７７４０号公報
【００１０】
【発明が解決しようとする課題】
斯る従来のプリントサービスシステムにおいては、プリント注文時に受取サービス店を指定し、このプリント注文時に指定した受取サービス店で印刷物を受け取る如くしているが、例えば旅先の函館でプリント注文した時点では、東京にある自宅近傍のサービス店を指定したが、途中で気が変わり、滞在中の仙台で印刷物を受け取りたくても、受け取ることができない不都合があった。
【００１１】
本発明は斯る点に鑑み、変更受付締切日時を設定し、この変更受付締切日時以前であれば、何度でも受取サービス店等を変更できるようにすることを目的とする。
【００１２】
【課題を解決するための手段】
本発明プリントサービスシステムはユーザまたは各サービス店の注文端末より画像データのプリント注文をネットワーク経由で中央処理センターが受け、配送または各サービス店よりの引渡により印刷物をユーザに届けるプリントサービスシステムにおいて、このプリント注文を受ける際に、このユーザの受取希望日時と印刷処理に必要となる時間とを勘案して変更受付締切日時を決定し、この変更受付締切日時を過ぎるまでは、印刷対象となるこの画像データをこの中央処理センターで保管し、この変更受付締切日時を過ぎた時点で、受取場所となる印刷処理設備が設置されている受取サービス店へこのネットワークを経由してこの画像データを転送し、転送されたこの受取サービス店はこの画像データの受信が完了次第、印刷を開始し、このユーザが来店するまでに印刷処理を完了するようにしたものである。
【００１３】
斯る本発明によれば、変更受付締切日時を過ぎるまでは、画像データを中央処理センターで保管し、この変更受付締切日時を過ぎた時点で、受取場所となる印刷処理設備が設置されている受取サービス店へネットワークを経由してこの画像データを転送し、転送されたこの受取サービス店はこの画像データの受信が完了次第、印刷を開始し、このユーザが来店するまでに印刷処理を完了するようにしたので、この変更受付締切日時までは、ユーザからの変更要求により受取場所等プリント注文の内容を何度でも変更することができる。
【００１４】
【発明の実施の形態】
以下図面を参照して本発明プリントサービスシステムの実施の形態の例につき説明する。
【００１５】
図１は本例によるプリントサービスシステムの構成を示し、図１において１ａ，１ｂ，１ｃ，１ｄは夫々各地に存するサービス店を示し、この各サービス店１ａ，１ｂ，１ｃ，１ｄには夫々ネットワーク２を経由して中央処理センター３のサーバ３ａと接続されるパーソナルコンピュータより成る注文端末４と印刷処理設備（スペックは様々である。）５とを設置する。
またこの各サービス店１ａ，１ｂ，１ｃ，１ｄは、このプリントサービスシステム内で一意に決まるサービス店ＩＤを有するものとする。
【００１６】
このサービス店１ａ，１ｂ，１ｃ，１ｄはユーザ６ｂ，６ｄがデジタルカメラ等により取得した画像データのプリント注文を受け、このプリント注文及びこの画像データをこの注文端末４を用いてネットワーク２を経由して中央処理センター３に送信する如くなされている。
【００１７】
またユーザ６ａ，６ｃはデジタルカメラ等により取得した画像データを自宅のパーソナルコンピュータを注文端末７として、その画像データ及びプリント注文をネットワーク２を経由して中央処理センター３に送信する如くする。
また、ユーザ６ａ，６ｂ，６ｃ，６ｄはこのプリントサービスシステム内で一意に決まるユーザＩＤを取得（ユーザ登録）するものとする。
【００１８】
このプリント注文の内容としては印刷サイズ、枚数、印刷データサイズ、受取方法（場所）の指定等である。
【００１９】
このサービス店１ａ，１ｂ，１ｃ，１ｄの注文端末４及びユーザ６ａ，６ｃの注文端末７よりの画像データ及びプリント注文をネットワーク２を経由して受ける中央処理センター３はユーザデータベース８、サービス店データベース９、スケジュールデータベース１０、印刷データストレージ１１及び配送センター１２を有している。
【００２０】
このユーザデータベース８には、ユーザ６ａ，６ｂ，６ｃ，６ｄのユーザＩＤ、パスワード、住所、氏名、電話番号、メールアドレス等が格納されている。
【００２１】
サービス店データベース９には各サービス店１ａ，１ｂ，１ｃ，１ｄのサービス店ＩＤ、住所、電話番号、メールアドレス、平均的な回線速度、対応サービス及び処理時間等が格納されている。
【００２２】
このサービス店データベース９に登録されている処理時間とは例えばＬサイズ：２０秒、２Ｌサイズ：４０秒、ポストカードサイズ：３０秒、Ａ４サイズ：１２０秒といった具合に、画質及び印刷サイズに対応した処理時間のことであり、これらの数値とデータ転送時間から注文処理時間を算出する。このデータ転送時間は、サービス店データベース９に登録されている平均的回線速度と印刷データサイズから算出する。
【００２３】
スケジュールデータベース１０にはプリント注文の注文内容（注文番号、発注者となるユーザＩＤ等も含む）、各サービス店１ａ，１ｂ，１ｃ，１ｄのスケジュール等が格納されている。
【００２４】
印刷データストレージ１１は注文番号に対応づけられた画像データが格納される。この格納された画像データはサービス店に転送したら消去する如くなされている。
【００２５】
本例においてはプリント注文の発注方法は上述の如くユーザ６ａ，６ｃの自宅のパーソナルコンピュータである注文端末７及びサービス店１ａ，１ｂ，１ｃ，１ｄの注文端末４より行う如くする。
【００２６】
またプリント注文の受取場所等の注文内容の変更依頼方法としてはユーザ６ａ，６ｃの自宅の注文端末７、電話、サービス店１ａ，１ｂ，１ｃ，１ｄの注文端末４より行う如くする。
【００２７】
また印刷物の受取方法（場所）は、サービス店１ａ，１ｂ，１ｃ，１ｄ及びユーザ６ａ，６ｂ，６ｃ，６ｄの自宅（指定した住所）への配送による。
【００２８】
以下に本例によるプリントサービスの事例につき説明する。
【００２９】
初めにユーザ６ａが自宅のパーソナルコンピュータである注文端末７を使用して発注し、サービス店１ｄで印刷物を受け取るつもりであったがその後サービス店１ａで受け取ることに変更した例につき図１、図２を参照して説明する。
【００３０】
先ずユーザ６ａが自宅のパーソナルコンピュータである注文端末７を使用してログイン（ステップＳ１）し、サーバ３ａが認証し受付開始（ステップＳ２）し、ユーザ６ａが画像データ及びプリント注文を送信（ステップＳ３）し、その後サーバ３ａが受注（ステップＳ４）する。このとき画像データは印刷データストレージ１１に保管される。
【００３１】
この場合、本例においては、中央処理センター３にあるサーバ３ａは、この受注する際に次の処理を行う。
（１）  サービス店データベース９を参照し、受取場所に指定されたサービス店１ｄの場合の印刷処理時間を読み出し、注文内容に基づいて、処理にかかる時間を算出する。
（２）  スケジュールデータベース１０を参照し、そのサービス店１ｄのスケジュールをチェックする。そして上述（１）で求めた処理時間から、受取可能日時の最速値を算出し、ユーザ６ａに提示する（ステップＳ５）。
（３）  上述（２）で提示された日時を踏まえてユーザが受取日時を決めた上で、変更受付締切時刻を算出し、それをユーザ６ａに提示し、注文が確定する（ステップＳ５）。
【００３２】
その後サーバ３ａは注文が確定したのでスケジュールデータベース１０を更新し、受取場所として指定されたサービス店１ｄへメール等を用いて注文を通知する（ステップＳ６）。サービス店１ｄはこの注文の受信をする（ステップＳ７）。ユーザ６ａは注文端末７をログアウトする（ステップＳ８）。
【００３３】
その後、ユーザ６ａが気が変わり、受取場所をサービス店１ａに変更したくなった（ステップＳ９）のでＷｅｂサイトへのログインまたは電話等によってこのシステムにログイン（ステップＳ１０）し、サーバ３ａが認証し、受付開始（ステップＳ１１）し、ユーザ６ａが受取場所をサービス店１ａに変更する旨を通知する（ステップＳ１２）。
【００３４】
これに伴って中央処理センター３のサーバ３ａは次の処理を行う（ステップＳ１３）。
（１）  新たに受取場所として指定されたサービス店１ａの場合の処理時間をサービス店データベース９から読み出し、注文内容に基づいて処理にかかる時間を算出する。
（２）  スケジュールデータベース１０を参照し、そのサービス店１ａのスケジュールをチェックする。そして上述（１）で求めた処理時間から、受取可能日時の最速値を算出し、ユーザ６ａに提示する。
（３）  上述（２）で提示された日時を踏まえてユーザ６ａが受取日時を決めた上で変更受付締切時刻を算出し、それをユーザ６ａに提示し、変更が確定する。
【００３５】
変更が確定したときは、サーバ３ａはスケジュールデータベース１０を更新し、新たに受取場所として指定されたサービス店１ａへメール等を用いて注文を通知する（ステップＳ１５）と共に変更がかかったサービス店１ｄへメール等を用いて注文の取消を通知する（ステップＳ１６）。このときユーザ６ａはログアウトする。
【００３６】
以上のような処理を、その注文に対する変更受付締切日時に達するまで何度でも行うことができる。
【００３７】
そして、変更受付締切日時を過ぎたら、つまり、受取場所が確定したら、中央処理センター３の印刷データストレージ１１に保管してある画像データを受取場所となるサービス店１ａへネットワーク２を介して転送（ステップＳ１７）し、この転送されたサービス店１ａは、この画像データの受信が完了次第、サービス店１ａの印刷設備により印刷を開始し、ユーザ６ａがこのサービス店１ａに来店するまでにすべての処理を完了させる（ステップＳ１８）。
【００３８】
従ってユーザ６ａは指定した日時に変更した受取サービス店１ａで印刷物を受取ることができる。
【００３９】
次に図１、図３を参照して、ユーザ６ｂがサービス店１ｂから発注（ＣＤ−Ｒやメモリースティック等のメディアで画像データを引き渡す、または店頭にて、画像機器から画像データを吸い上げる）し、この画像データの印刷物をサービス店１ｂで受け取るつもりであったが、その後、サービス店１ｃで受け取ることに変更した例につき説明する。
【００４０】
このときはユーザ６ｂがサービス店１ｂにプリント注文に行き、サービス店１ｂが、これを受け、このサービス店１ｂが注文端末４を使用してログイン（ステップＳ２０）し、サーバ３ａが認証し受付開始（ステップＳ２０ａ）し、サービス店１ｂが画像データ及びプリント注文を送信（ステップＳ２１）し、その後サーバ３ａが受注（ステップＳ２２）する。このとき画像データは印刷データストレージ１１に保管される。
【００４１】
この場合、本例においては、中央処理センター３にあるサーバ３ａは、この受注する際に次の処理を行う。
（１）  サービス店データベース９を参照し、受取場所に指定されたサービス店１ｂの場合の印刷処理時間を読み出し、注文内容に基づいて、処理にかかる時間を算出する。
（２）  スケジュールデータベース１０を参照し、そのサービス店１ｂのスケジュールをチェックする。そして上述（１）で求めた処理時間から、受取可能日時の最速値を算出し、サービス店１ｂ及びユーザ６ｂに提示する（ステップＳ２３）。
（３）  上述（２）で提示された日時を踏まえてユーザ６ｂが受取日時を決めた上で、変更受付締切時刻を算出し、それをユーザに提示し、注文が確定する（ステップＳ２３）。
【００４２】
その後サーバ３ａは注文が確定したのでスケジュールデータベース１０を更新し、受取場所として指定されたサービス店１ｂへメール等を用いて注文を通知する（ステップＳ２４）。サービス店１ｂはこの注文の受信をする（ステップＳ２５）。サービス店１ｂは注文端末４をログアウトする（ステップＳ２６）。
【００４３】
その後、ユーザ６ｂが気が変わり、受取場所をサービス店１ｃに変更したくなった（ステップＳ２７）のでＷｅｂサイトへのログインまたは電話等によってこのシステムにログイン（ステップＳ２８）し、サーバ３ａが認証し、受付開始（ステップＳ２９）し、ユーザ６ｂが受取場所をサービス店１ｃに変更する旨を通知する（ステップＳ３０）。
【００４４】
これに伴って中央処理センター３のサーバ３ａは次の処理を行う（ステップＳ３１）。
（１）  新たに受取場所として指定されたサービス店１ｃの場合の処理時間をサービス店データベース９から読み出し、注文内容に基づいて処理にかかる時間を算出する。
（２）  スケジュールデータベース１０を参照し、そのサービス店１ｃのスケジュールをチェックする。そして上述（１）で求めた処理時間から、受取可能日時の最速値を算出し、ユーザ６ｂに提示する。
（３）  上述（２）で提示された日時を踏まえてユーザ６ｂが受取日時を決めた上で変更受付締切時刻を算出し、それをユーザ６ｂに提示し、変更が確定する。
【００４５】
変更が確定したときは、サーバ３ａはスケジュールデータベース１０を更新し、新たに受取場所として指定されたサービス店１ｃへメール等を用いて注文を通知する（ステップＳ３１）と共に変更がかかったサービス店１ｂへメール等を用いて注文の取消を通知する（ステップＳ３４）。このときユーザ６ｂはログアウトする。
【００４６】
以上のような処理を、その注文に対する変更受付締切日時に達するまで何度でも行うことができる。
【００４７】
そして、変更受付締切日時を過ぎたら、つまり、受取場所が確定したら、中央処理センター３の印刷データストレージ１１に保管してある画像データを受取場所となるサービス店１ｃへネットワーク２を介して転送（ステップＳ３５）し、この転送されたサービス店１ｃは、この画像データの受信が完了次第、サービス店１ｃの印刷設備により印刷を開始し、ユーザ６ｂがこのサービス店１ｂに来店するまでにすべての処理を完了させる（ステップＳ３６）。
【００４８】
従ってユーザ６ｂは指定した日時に変更した受取サービス店１ｃで印刷物を受取ることができる。
【００４９】
次に図１、図４を参照して、ユーザ６ｃが自宅のパーソナルコンピュータである注文端末７から発注し、サービス店１ｄで受け取るつもりであったが、その後、自宅（指定した住所）へ配送してもらうことに変更した例につき説明する。
【００５０】
先ずユーザ６ｃが自宅のパーソナルコンピュータである注文端末７を使用してログイン（ステップＳ４０）し、サーバ３ａが認証し受付開始（ステップＳ４１）し、ユーザ６ｃが画像データ及びプリント注文を送信（ステップＳ４２）し、その後サーバ３ａが受注（ステップＳ４３）する。このとき画像データは印刷データストレージ１１に保管される。
【００５１】
この場合、本例においては、中央処理センター３にあるサーバ３ａは、この受注する際に次の処理を行う。
（１）  サービス店データベース９を参照し、受取場所に指定されたサービス店１ｄの場合の印刷処理時間を読み出し、注文内容に基づいて、処理にかかる時間を算出する。
（２）  スケジュールデータベース１０を参照し、そのサービス店１ｄのスケジュールをチェックする。そして上述（１）で求めた処理時間から、受取可能日時の最速値を算出し、ユーザ６ｃに提示する（ステップＳ４４）。
（３）  上述（２）で提示された日時を踏まえてユーザが受取日時を決めた上で、変更受付締切時刻を算出し、それをユーザ６ｃに提示し、注文が確定する（ステップＳ４４）。
【００５２】
その後サーバ３ａは注文が確定したのでスケジュールデータベース１０を更新し、受取場所として指定されたサービス店１ｄへメール等を用いて注文を通知する（ステップＳ４５）。サービス店１ｄはこの注文の受信をする（ステップＳ４６）。ユーザ６ｃは注文端末７をログアウトする（ステップＳ４７）。
【００５３】
その後、ユーザ６ｃが気が変わり、受取場所を配送による自宅に変更したくなった（ステップＳ４８）のでＷｅｂサイトへのログインまたは電話等によってこのシステムにログイン（ステップＳ４９）し、サーバ３ａが認証し、受付開始（ステップＳ５０）し、ユーザ６ｃが受取場所を配送による自宅に変更する旨を通知する（ステップＳ５１）。
【００５４】
これに伴って中央処理センター３のサーバ３ａは次の処理を行う（ステップＳ５２）。
（１）  新たに受取場所として指定された自宅への配送する場合の配送センター１２の処理時間を読み出し、注文内容に基づいて処理にかかる時間を算出する。
（２）  スケジュールデータベース１０を参照し、配送センター１２のスケジュールをチェックする。そして上述（１）で求めた処理時間から、受取可能日時の最速値を算出し、ユーザ６ｃに提示する。
（３）  上述（２）で提示された日時を踏まえてユーザ６ｃが受取日時を決めた上で変更受付締切時刻を算出し、それをユーザ６ｃに提示し、変更が確定する。
【００５５】
変更が確定したときは、サーバ３ａはスケジュールデータベース１０を更新し、新たに受取場所として指定された自宅への配送を配送センター１２に通知する（ステップＳ５４）と共に変更がかかったサービス店１ｄへメール等を用いて注文の取消を通知する（ステップＳ５５）。このときユーザ６ｃはログアウトする。
【００５６】
以上のような処理を、その注文に対する変更受付締切日時に達するまで何度でも行うことができる。
【００５７】
そして、変更受付締切日時を過ぎたら、つまり、受取場所（方法）が確定したら、中央処理センター３の印刷データストレージ１１に保管してある画像データを配送センター１２に転送（ステップＳ５６）し、この転送された配送センター１２は、この画像データの受信が完了次第、配送センター１２の印刷設備により印刷を開始し、印刷処理を行い、この印刷物をユーザ６ｃの自宅に配送する（ステップＳ５７）。
【００５８】
従ってユーザ６ｃは受取場所を変更した自宅で印刷物を受取ることができる。
【００５９】
次に図１、図５を参照して、ユーザ６ｄがサービス店１ｄから発注（ＣＤ−Ｒやメモリースティック等のメディアで画像データを引き渡す、または店頭にて画像機器から画像データを吸い上げる）し、サービス店１ｄで受け取るつもりであったが、その後自宅（指定した住所）へ配送してもらうことに変更した例につき説明する。
【００６０】
このときはユーザ６ｄがサービス店１ｄにプリント注文に行き、サービス店１ｄがこれを受け、このサービス店１ｄが注文端末４を使用してログイン（ステップＳ６０）し、サーバ３ａが認証し受付開始（ステップＳ６１）し、ユーザ６ｄが画像データ及びプリント注文を送信（ステップＳ６２）し、その後サーバ３ａが受注（ステップＳ６３）する。このとき画像データは印刷データストレージ１１に保管される。
【００６１】
この場合、本例においては、中央処理センター３にあるサーバ３ａは、この受注する際に次の処理を行う。
（１）  サービス店データベース９を参照し、受取場所に指定されたサービス店１ｄの場合の印刷処理時間を読み出し、注文内容に基づいて、処理にかかる時間を算出する。
（２）  スケジュールデータベース１０を参照し、そのサービス店１ｄのスケジュールをチェックする。そして上述（１）で求めた処理時間から、受取可能日時の最速値を算出し、ユーザ６ｄに提示する（ステップＳ６４）。
（３）  上述（２）で提示された日時を踏まえてユーザが受取日時を決めた上で、変更受付締切時刻を算出し、それをユーザ６ｄに提示し、注文が確定する（ステップＳ６４）。
【００６２】
その後サーバ３ａは注文が確定したのでスケジュールデータベース１０を更新し、受取場所として指定されたサービス店１ｄへメール等を用いて注文を通知する（ステップＳ６５）。サービス店１ｄはこの注文の受信をする（ステップＳ６６）。ユーザ６ｄは注文端末７をログアウトする（ステップＳ６７）。
【００６３】
その後、ユーザ６ｄが気が変わり、受取場所を配送による自宅に変更したくなった（ステップＳ６８）のでＷｅｂサイトへのログインまたは電話等によってこのシステムにログイン（ステップＳ６９）し、サーバ３ａが認証し、受付開始（ステップＳ７０）し、ユーザ６ａが受取場所を配送による自宅に変更する旨を通知する（ステップＳ７１）。
【００６４】
これに伴って中央処理センター３のサーバ３ａは次の処理を行う（ステップＳ７２）。
（１）  新たに受取場所として指定された自宅への配送する場合の配送センター１２の処理時間を読み出し、注文内容に基づいて処理にかかる時間を算出する。
（２）  スケジュールデータベース１０を参照し、配送センター１２のスケジュールをチェックする。そして上述（１）で求めた処理時間から、受取可能日時の最速値を算出し、ユーザ６ｄに提示する。
（３）  上述（２）で提示された日時を踏まえてユーザ６ｄが受取日時を決めた上で変更受付締切時刻を算出し、それをユーザ６ｄに提示し、変更が確定する。
【００６５】
変更が確定したときは、サーバ３ａはスケジュールデータベース１０を更新し、新たに受取場所として指定された自宅への配送を配送センター１２に通知する（ステップＳ７４）と共に変更がかかったサービス店１ｄへメール等を用いて注文の取消を通知する（ステップＳ７５）。このときユーザ６ｄはログアウトする（ステップＳ７３）。
【００６６】
以上のような処理を、その注文に対する変更受付締切日時に達するまで何度でも行うことができる。
【００６７】
そして、変更受付締切日時を過ぎたら、つまり、受取場所（方法）が確定したら、中央処理センター３の印刷データストレージ１１に保管してある画像データを配送センター１２に転送（ステップＳ７６）し、この転送された配送センター１２は、この画像データの受信が完了次第、配送センター１２の印刷設備により印刷を開始し、この印刷処理行い、この印刷物をユーザ６ｄの自宅に配送する（ステップＳ７７）。
【００６８】
従ってユーザ６ｄは受取場所を変更した自宅で印刷物を受取ることができる。
【００６９】
斯る本例のプリントサービスシステムによれば、変更受付締切日時以前であれば何度でも柔軟に受取場所の変更要求に対応できる。
例えば旅先の函館で発注した時点では東京にある自宅への配送を希望したが途中で気が変わり、滞在中の仙台市内にあるサービス店で印刷物を受け取ることにしたが、それもさらに変更し、次に訪れる福岡市内にあるサービス店で受け取るようにすることができる。
【００７０】
また各サービス店１ａ，１ｂ・・・１ｄ（  配送センター１２も含む）  の処理能力やスケジュールといった情報を中央処理センター３で集中的に管理し、利用することによって、例えば品川区内で最も早く受け取れるサービス店はどこかといった要求に応えることができる。
【００７１】
尚、上述例では受取り場所の変更についてだけ述べたが、この変更受付締切日時以前であれば印刷枚数、印刷サイズ等注文の内容も変更できることは容易に理解できよう。
【００７２】
また本発明は上述例に限ることなく、本発明の要旨を逸脱することなくその他種々の構成が採り得ることは勿論である。
【００７３】
【発明の効果】
本発明によれば変更受付締切日時を過ぎるまでは、画像データを中央処理センターで保管し、この変更受付締切日時を過ぎた時点で受取場所となる印刷処理設備が設置されている受取サービス店へネットワークを経由してこの画像データを転送し、転送されたこの受取サービス店はこの画像データの受信が完了次第、印刷を開始し、このユーザが来店するまでに印刷処理を完了するようにしたので、この変更受付締切日時までは、ユーザからの変更要求により受取場所等プリント注文の内容を何度でも変更することができる。
【図面の簡単な説明】
【図１】本発明プリントサービスシステムの実施の形態の例を示す構成図である。
【図２】本発明の説明に供する線図である。
【図３】本発明の説明に供する線図である。
【図４】本発明の説明に供する線図である。
【図５】本発明の説明に供する線図である。
【符号の説明】
１ａ，１ｂ，１ｃ，１ｄ・・・サービス店、２・・・ネットワーク、３・・・中央処理センター、４，７・・・注文端末、５・・・印刷設備、６ａ，６ｂ，６ｃ，６ｄ・・・ユーザ、８・・・ユーザデータベース、９・・・サービス店データベース、１０・・・スケジュールデータベース、１１・・・印刷データベース、１２・・・配送センター
【図１】
2004259203.tif 000003
【図２】
2004259203.tif 000004
【図３】
2004259203.tif 000005
【図４】
2004259203.tif 000006
【図５】
2004259203.tif 000007